(57)【要約】【課題】電磁石の小型化およびコストダウンを可能にするとともに、発射球の充分な飛距離を実現し、発射球の回転による飛びムラを抑制し、発射球の確実な磁力吸引を実現すること。【解決手段】球供給通路１上に設けられるとともに、通電することにより磁力で発射球を磁力吸引して保持する球保持手段２を備えたパチンコ機における球供給装置３において、前記球供給通路１上に、前記球保持手段２による磁力吸引によって保持された発射球Ｐに対して一定間隔離れた位置に次回に磁力吸引される次の発射球Ｎを待機させる待機手段４として、次回に磁力吸引される次の発射球を係止して待機させるストッパ手段４０を備えているパチンコ機における球供給装置。【選択図】図１
2007236418.tif 000002
【特許請求の範囲】
【請求項１】
球供給通路上に設けられるとともに、通電することにより磁力で発射球を磁力吸引して保持する球保持手段を備えたパチンコ機における球供給装置において、
前記球供給通路上に、前記球保持手段による磁力吸引によって保持された発射球に対して一定間隔離れた位置に次回に磁力吸引される次の発射球を待機させる待機手段を設けた
ことを特徴とするパチンコ機における球供給装置。
【請求項２】
請求項１において、
前記待機手段が、次回に磁力吸引される次の発射球を係止して待機させるストッパ手段によって構成されている
ことを特徴とするパチンコ機における球供給装置。
【請求項３】
請求項２において、
前記ストッパ手段が、前記球供給通路面から突設されるとともに、先端が球の中心よりも低い高さの突起によって構成されている
ことを特徴とするパチンコ機における球供給装置。
【請求項４】
請求項１ないし請求項３のいずれか一項において、
前記球供給通路上に、縦列されている球を前記球保持手段に移動させる球送出手段と、および
前記球供給通路に振動を付与して前記球保持手段に球を滑らかに供給することを可能にする振動付与手段を備えている
ことを特徴とするパチンコ機における球供給装置。
【請求項５】
請求項１ないし請求項４のいずれか一項において、
前記球供給通路の途中に網目状に形成されたメッシュ部が設けられている
ことを特徴とするパチンコ機における球供給装置。
【請求項６】
請求項１ないし請求項５のいずれか一項において、
球を発射する発射装置の駆動態様を検出する発射状況検出手段と、
前記発射状況検出手段からの検出結果に基づいて、球保持手段の駆動制御を行う通電制御手段とを備えている
ことを特徴とするパチンコ機における球供給装置。
【発明の詳細な説明】
【技術分野】
【０００１】
本発明は、球供給通路上に設けられるとともに、通電することにより磁力で発射球を磁力吸引して保持する球保持手段を備えたパチンコ機における球供給装置に関するものである。
【背景技術】
【０００２】
従来のパチンコ機における球供給装置は、図８に示されるようにパチンコ機前面の供給皿に貯留されている球を発射レールの発射位置に１個ずつ供給するパチンコ機における球供給装置Ｓにおいて、発射球に対する次の発射球を磁気吸引装置Ｍによって磁気的に吸引することにより、発射球Ｐと次の発射球Ｎとの接触を回避するものであった。
【特許文献１】特開平８−２６６７１２号公報
【発明の開示】
【発明が解決しようとする課題】
【０００３】
しかしながら、このような上記従来のパチンコ機における球供給装置は、発射球に対する次の発射球を磁気吸引装置Ｍによって磁気的に吸引することにより、発射球Ｐと次の発射球Ｎとの接触を回避するものであるので、槌の位置に基づいて、磁気吸引装置Ｍを構成する電磁石によって球を磁力吸引し、１つずつ発射位置に供給するものであり、電磁石に吸引されている次の発射球Ｎには複数の球が連接されているため、電磁石に吸引されている次の発射球Ｎは、球群の終端に位置するので、それより前に待機している複数の球の重みが加わることとなり、球Ｎを磁力保持するために、電磁石に強い磁力を発生することが求められ、従って、電磁石が大型化するとともにコストアップを招くという問題があった。
【０００４】
又、前記電磁石の磁力を強くすると、次第に連接されている複数の球自体が着磁されてしまうため、図９に示されるように、前記電磁石をＯＦＦして球を発射位置に供給する際、その供給される発射球Ｐと一緒に、次回に供給される球Ｎまでもが球自体の着磁力によって共連れされ、発射位置に移動した発射球Ｐの上に、次回に発射される球Ｎが載置され、この結果、発射位置にある発射球Ｐに次の発射球Ｎおよびそれに続く球Ｎ１、Ｎ２の重みが加わるため、槌によって発射球Ｐが叩かれても、充分な飛距離を得ることができないとともに、発射球Ｐに回転が生じて飛びムラの原因になるという問題があった。
【０００５】
更に、発射位置に供給される球Ｐと一緒に、次回に供給される球Ｎが共連れされると、図９に示されるように球Ｎと電磁石Ｍとの間には距離（Ｌ）が生じてしまうとともに、このとき、次回の球Ｎは、電磁石によって磁力吸引されるべきであるが、この球Ｎには複数の球群Ｎ１、Ｎ２・・・が連接されているため、それらの重みで磁力吸引することができないという問題があった。
【０００６】
本発明者は、発射球を磁力吸引可能な球保持手段を構成する電磁石を備え、この電磁石の磁力吸引を解除することにより発射装置に球を供給する装置において、電磁石によって磁力吸引される発射球と、磁力吸引されるのを待機している次の発射球との間に間隔を設けるという着眼点に着目した。
【０００７】
本発明者は、球供給通路上に設けられるとともに、通電することにより磁力で発射球を磁力吸引して保持する球保持手段を備えたパチンコ機における球供給装置において、前記球供給通路上に、前記球保持手段による磁力吸引によって保持された発射球に対して一定間隔離れた位置に次回に磁力吸引される次の発射球を待機させるという技術的思想に着眼し、更に研究開発を重ねた結果、電磁石の小型化およびコストダウンを可能にするとともに、発射球の充分な飛距離を実現し、発射球の回転による飛びムラを抑制し、発射球の確実な磁力吸引を実現するという目的を達成する本発明に到達した。
【課題を解決するための手段】
【０００８】
本発明（請求項１に記載の第１発明）のパチンコ機における球供給装置は、
球供給通路上に設けられるとともに、通電することにより磁力で発射球を磁力吸引して保持する球保持手段を備えたパチンコ機における球供給装置において、
前記球供給通路上に、前記球保持手段による磁力吸引によって保持された発射球に対して一定間隔離れた位置に次回に磁力吸引される次の発射球を待機させる待機手段を設けた
ものである。
【０００９】
本発明（請求項２に記載の第２発明）のパチンコ機における球供給装置は、
前記第１発明において、
前記待機手段が、次回に磁力吸引される次の発射球を係止して待機させるストッパ手段によって構成されている
ものである。
【００１０】
本発明（請求項３に記載の第３発明）のパチンコ機における球供給装置は、
前記第２発明において、
前記ストッパ手段が、前記球供給通路面から突設されるとともに、先端が球の中心よりも低い高さの突起によって構成されている
ものである。
【００１１】
本発明（請求項４に記載の第４発明）のパチンコ機における球供給装置は、
前記第１ないし第３発明のいずれかにおいて、
前記球供給通路上に、縦列されている球を前記球保持手段に移動させる球送出手段と、および
前記球供給通路に振動を付与して前記球保持手段に球を滑らかに供給することを可能にする振動付与手段を備えている
ものである。
【００１２】
本発明（請求項５に記載の第５発明）のパチンコ機における球供給装置は、
前記第１ないし第４発明のいずれかにおいて、
前記球供給通路の途中に網目状に形成されたメッシュ部が設けられている
ものである。
【００１３】
本発明（請求項６に記載の第６発明）のパチンコ機における球供給装置は、
前記第１ないし第５発明のいずれかにおいて、
球を発射する発射装置の駆動態様を検出する発射状況検出手段と、
前記発射状況検出手段からの検出結果に基づいて、球保持手段の駆動制御を行う通電制御手段とを備えている
ものである。
【発明の効果】
【００１４】
上記構成より成る第１発明のパチンコ機における球供給装置は、球供給通路上に設けられるとともに、通電することにより磁力で発射球を磁力吸引して保持する球保持手段を備えたパチンコ機における球供給装置において、前記球供給通路上に設けられた前記待機手段によって、前記球保持手段による磁力吸引によって保持された発射球に対して一定間隔離れた位置に次回に磁力吸引される次の発射球を待機させるので、次の発射球の影響を受けること無く球保持手段によって磁力吸引され保持されている発射球のみを発射装置に供給するため、発射球の確実な磁力吸引を実現して、電磁石の小型化およびコストダウンを可能にするとともに、発射球の充分な飛距離を実現し、発射球の回転による飛びムラを抑制するという効果を奏する。
【００１５】
上記構成より成る第２発明のパチンコ機における球供給装置は、前記第１発明において、前記待機手段を構成する前記ストッパ手段によって、次回に磁力吸引される次の発射球を係止して待機させるので、次の発射球およびそれに続く球を確実に係止して待機させるという効果を奏する。
【００１６】
上記構成より成る第３発明のパチンコ機における球供給装置は、前記第２発明において、前記ストッパ手段を構成する、前記球供給通路面から突設されるとともに、先端が球の中心よりも低い高さの突起によって、次回に磁力吸引される次の発射球を係止して待機させるので、簡単な構成によって次の発射球およびそれに続く球を確実に係止して待機させるという効果を奏する。
【００１７】
上記構成より成る第４発明のパチンコ機における球供給装置は、前記第１発明ないし第３発明のいずれかにおいて、前記球供給通路上に備えられた前記球送出手段によって、前記球供給通路上に縦列されている球を前記球保持手段に向かって確実に移動させるとともに、前記振動付与手段によって、前記球供給通路に振動を付与して球の滑らかな供給を可能にするという効果を奏する。
【００１８】
上記構成より成る第５発明のパチンコ機における球供給装置は、前記第１発明ないし第４発明のいずれかにおいて、前記球供給通路の途中に設けられた網目状に形成された前記メッシュ部によって、前記球供給通路を供給される球の付着物を除去して、球の磁力吸引を向上させるという効果を奏する。
【００１９】
上記構成より成る第６発明のパチンコ機における球供給装置は、前記第１発明ないし第５発明のいずれかにおいて、球を発射する発射装置の駆動態様を検出する前記発射状況検出手段からの検出結果に基づいて、前記通電制御手段によって前記球保持手段の駆動制御を行うので、発射球の磁力吸引および磁力解除を確実に実現するという効果を奏する。
【発明を実施するための最良の形態】
【００２０】
以下本発明の最良の実施の形態につき実施例に基づき、図面を用いて説明する。
【実施例１】
【００２１】
本第１実施例のパチンコ機における球供給装置は、図１ないし図４に示されるように球供給通路１上に設けられるとともに、通電することにより磁力で発射球を磁力吸引して保持する球保持手段２を備えたパチンコ機における球供給装置３において、前記球供給通路１上に、前記球保持手段２による磁力吸引によって保持された発射球Ｐに対して一定間隔離れた位置に次回に磁力吸引される次の発射球Ｎを待機させる待機手段４として、次回に磁力吸引される発射球を係止して待機させるストッパ手段４０を備えているものである。
【００２２】
球を発射する発射装置５は、発射レール５５上の発射位置の発射球Ｐを叩き発射する槌５１と、該槌５１をバネ部材（図示せず）に抗して揺動駆動する発射用ロータリーソレノイド５０とから成る。
【００２３】
発射用ロータリーソレノイド５０により揺動駆動される前記槌５１によって発射される発射球Ｐの前記発射レール５５上の発射位置における存在は、球検出センサー６３によって検出される。
【００２４】
発射状況検出手段６は、発射装置５を構成する槌５１の揺動範囲の両端に配設されその位置を検出する２個の位置確認スイッチ６１、６２と、前記発射レール５５上の発射位置における発射球Ｐの存在を検出する球検出センサー６３によって構成され、球を発射する前記発射装置５の駆動態様を検出するように構成されている。
【００２５】
前記球供給通路１は、その終端１１に向かう程下方に傾斜して配設されている。本実施例では、該通路１が、縦列されている球を前記球保持手段２に移動させる球送出手段として構成されている。
【００２６】
前記ストッパ手段４０が、前記球供給通路１の終端１１において、球供給通路１の底面から突設されるとともに、先端が球の中心よりも低い高さのアール形状の突起４１によって構成されている。
【００２７】
振動付与手段７が、前記球供給通路１の途中に形成された段差部に外周面が接するバイブ用モータによって構成され、前記球供給通路１に振動を付与して球の滑らかな供給を可能にするように構成されている。
【００２８】
前記球供給通路１における前記振動付与手段７の近傍に網目状に形成されたメッシュ部１５が設けられている。
【００２９】
前記球保持手段２は、電磁石２０と、該電磁石２０から水平に突出して且つ先端部が下方に突出した略Ｌ字状のステー２１とから成る。
【００３０】
発射球Ｐを磁力吸引して係止する前記ステー２１の先端に形成された吸引部２１１は、図１に示されるように前記球供給通路１の終端１１に形成されたアール形状の突起４１の斜め上方に位置するとともに、突起４１から横方向に一定距離離れている。ステー２１の吸着端２１１に磁力吸引して係止された発射球Ｐと前記突起４１によって係止された次の発射球Ｎとの間には球の半径より短い間隔（図３に示すＳ）が形成されるように構成されている。
【００３１】
通電制御手段８は、前記発射状況検出手段６からの検出結果に基づいて、発射用ロータリーソレノイド５０および前記球保持手段２を構成する電磁石２０の駆動制御を行うものである。
【００３２】
図３に示されるように前記発射装置５によって前記発射レール５５上の発射位置にある発射球Ｐが揺動した槌５１によって発射されると、図４に示されるように前記球保持手段２の電磁石２０の駆動が解除されオフになり、ステー２１の吸着端２１１に磁力吸引されていた発射球Ｐが落下して、前記発射レール５５上の発射位置に移動する。
【００３３】
本第１実施例のパチンコ機における球供給装置の作用について、図５のチャート図を用いてさらに詳細に説明する。
【００３４】
すなわち槌５１が反時計方向に揺動して発射球Ｐが発射されると、発射状況検出手段６の位置確認スイッチ６１がオン（図５（Ａ）図示）になり、球検出センサー６３がオフ（図５（Ｃ）図示）になったことが検知されると、通電制御手段８が、球保持手段２の電磁石２０の駆動信号を一定時間オフ（図５（Ｄ）図示）にするので、球保持手段２の電磁石２０の駆動が解除され、ステー２１の吸着端２１１に磁力吸引されていた発射球Ｐが落下移動して、発射レール５５上の発射位置に到達すると、球検出センサー６３がオン（図５（Ｃ）図示）になる。
【００３５】
通電制御手段８は、球保持手段２の電磁石２０の駆動信号を一定時間オフ（図５（Ｄ）図示）にした後、オンにすると同時に振動付与手段７を構成する前記バイブ用モータの駆動信号をオン（図５（Ｅ）図示）にして、球供給通路１に振動を付与して、発射球Ｐに対して一定間隔離れた位置に待機されていた次の発射球Ｎを、オン状態になっている球保持手段２の電磁石２０に供給して、前記電磁石２０によって磁力吸引され発射球Ｐとして保持される。
【００３６】
次の球を発射するために槌５１が時計方向に揺動して発射状況検出手段６の位置確認スイッチ６２がオン（図５（Ｂ）図示）になったことが検知されると、通電制御手段８は、振動付与手段７を構成する前記バイブ用モータの駆動信号をオフ（図５（Ｅ）図示）にして、球供給通路１に対する振動付与が停止される。
【００３７】
本第１実施例のパチンコ機における球供給装置は、発射球Ｐに対して一定間隔離れた位置に次回に磁力吸引される発射球Ｎを待機させるので、次の発射球の影響を受けること無く球保持手段２によって磁力吸引され保持されている発射球Ｐのみを発射装置５に供給することができるという効果を奏する。
【００３８】
本第１実施例のパチンコ機における球供給装置は、待機手段４によって、球保持手段２による磁力吸引によって保持された発射球に対して一定間隔離れた位置に次回に磁力吸引される次の発射球Ｎを待機させるので、発射球Ｐの確実な磁力吸引を実現して、球保持手段２を構成する電磁石２０の小型化およびコストダウンを可能にするとともに、発射球の充分な飛距離を実現し、発射球の回転による飛びムラを抑制するという効果を奏する。
【００３９】
さらに本第１実施例のパチンコ機における球供給装置は、前記球供給通路面から突設されるとともに、先端が球の中心よりも低い高さの前記ストッパ手段４０を構成するアール形状の突起４１によって、次回に磁力吸引される発射球を係止して待機させるので、簡単な構成によって次の発射球およびそれに続く発射球を確実に係止して待機させるという効果を奏する。
【００４０】
すなわち前記ストッパ手段４０は、前記球供給通路１の内面から突設されるとともに、先端が球の中心よりも低くかつアール形状をなす突起４１であるため、かかる構成により、保持位置に球を的確に送ることが可能になる。
【００４１】
また第１実施例のパチンコ機における球供給装置は、振動付与手段７によって、球供給通路１に振動を付与して球の滑らかな供給を可能にするという効果を奏する。
【００４２】
球供給通路１上に振動を付与することにより、磁力吸引位置に球を移動させるこの構成により、複数の球を同時かつ適度な速さで移動させることができる。
また前記球送出手段（振動付与手段７）による振動開始タイミングを、電磁石２０を駆動するすなわちＯＮにするタイミングと同時にすれば、電磁石２０による磁力吸引が開始されるのと同時に、次の球が突起４１を乗り越え送り出されるため、球を１つずつ一層確実に磁力吸引することができる。
【００４３】
さらに本第１実施例のパチンコ機における球供給装置は、球供給通路１の途中に設けられた網目状に形成されたメッシュ部１４によって、球供給通路１を供給される球の付着物を除去して、球の磁力吸引を向上させるという効果を奏する。
【００４４】
すなわち前記球送出手段の近傍における前記球供給通路１の途中に網目状に形成されたメッシュ部１４が設けられているので、この構成により球送出手段としての前記振動付与手段７によって球に加えられる振動によって、メッシュ部１４から球の表面に付着した塵埃、錆、剥がれたメッキ等の鉄粉が排出される。これにより、球の磁力吸引性能が向上する。
【００４５】
また第１実施例のパチンコ機における球供給装置は、球を発射する発射装置５の駆動態様を検出する発射状況検出手段６からの検出結果に基づいて、通電制御手段８によって球保持手段２の電磁石２０の駆動制御を行うので、発射球の磁力吸引および磁力解除を確実に実現するという効果を奏する。
【００４６】
さらに本第１実施例のパチンコ機における球供給装置は、球供給通路１上に備えられた球送出手段を構成する振動付与手段７によって、球供給通路上に縦列されている球を球保持手段２に向かって確実に移動させるという効果を奏する。
【実施例２】
【００４７】
本第２実施例のパチンコ機における球供給装置は、図６に示されるように上述の第１実施例における前記球供給通路１の終端１１に形成された突起４１を支点周りに揺動する揺動部材４２に変更した点が主な相違点であり、以下相違点を中心に説明する。第２実施例では、待機手段が揺動部材４２から構成されている。
【００４８】
前記揺動部材４２は、一端に偏心した支点４２０周りに揺動し、略Ｖ字形状の短片４２１の先端は傾斜した前記球供給通路１の終端上方にバネ部材４２５の付勢力により常時突出して次の発射球Ｎを係止しており、長片４２２は下方に延在する略Ｌ字形状をしており、下端水平部４２３が発射球の落下通路内に突出している。
【００４９】
前記球保持手段２の前記電磁石２０の駆動が解除されステー２１の吸着端２１１から発射球Ｐが落下すると、前記揺動部材４２の長片４２２の下端の水平部４２３が落下した発射球Ｐによってバネ部材４２５の付勢力に抗して図中左方に押され、前記揺動部材４２が支点４２０周りに時計方向に揺動するため、前記球供給通路１の終端上方に突出して次の発射球Ｎを係止していた短片４２１が前記球供給通路１の下部に埋没し、前記球供給通路１の傾斜によって係止されていた発射球Ｎが図中右方向に移動して、駆動が開始された前記球保持手段２の前記電磁石２０によって発射球Ｐとして磁力吸引して保持されるものである。
【００５０】
本第２実施例のパチンコ機における球供給装置は、前記球供給通路１の傾斜および発射球Ｐの落下を利用したシンプルな機構である前記揺動部材４２の揺動を制御するものであり、上述の第１実施例のように振動付与手段の振動制御を不要にして、コストダウンを可能にするとともに、構成特に制御をシンプルにすることが出来るという効果を奏する。
【実施例３】
【００５１】
本第３実施例のパチンコ機における球供給装置は、図７に示されるように上述の第１実施例における前記球供給通路１の終端１１に形成された突起４１をソレノイド４３０の駆動により上下動が制御されるピストン４３に変更した点が主な相違点であり、以下相違点を中心に説明する。第３実施例では、待機手段がソレノイド４３０とピストン４３とから構成されている。
【００５２】
前記ピストン４３は、下端４３３に係止されたバネ部材４３１の付勢力により前記球供給通路１の終端上方に常時突出しており球を係止し得る面積を有する上端４３２が次の発射球Ｎを係止しており、前記球保持手段２の前記電磁石２０の駆動が解除されステー２１の吸着端２１１から発射球Ｐが落下した後、前記ソレノイド４３０が駆動されると、前記ソレノイド４３０の磁気的吸引力によりバネ部材４３１の付勢力に抗して前記ソレノイド４３０内を下方に移動してピストン４３の上端４３２が前記球供給通路１の下部に埋没し、前記球供給通路１の傾斜によって係止されていた発射球Ｎが図中右方向に移動して、駆動が開始された前記球保持手段２の前記電磁石２０によって発射球Ｐとして磁力吸引して保持されるものである。
【００５３】
本第３実施例のパチンコ機における球供給装置は、ピストン４３の下方への移動を任意に制御して、前記球供給通路１の傾斜を利用して球を移動させるものであるため、比較的シンプルな構成により最適なタイミングで次の発射球Ｎを前記球保持手段２に供給することが出来るという効果を奏する。
【００５４】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５５】
上述の第１実施例において、振動付与手段７を球供給通路１の段差部に配置したが、ストッパ手段４０の近傍に配置することも出来る。
【００５６】
上述の第１実施例においては、一例として前記球送出手段を前記球供給通路１と振動付与手段７によって構成する例について説明したが、本発明としてはそれらに限定されるものではなく、前記振動付与手段７を用いないで前記球供給通路１に傾斜を形成することにより、前記球送出手段を構成する実施形態を採用することが出来る。
【図面の簡単な説明】
【００５７】
【図１】本発明の第１実施例のパチンコ機における球供給装置を示す正面図である。
【図２】本第１実施例のパチンコ機における球供給装置を示す側面図である。
【図３】本第１実施例のパチンコ機における球供給装置における発射球の発射状態を説明するための説明図である。
【図４】本第１実施例のパチンコ機における球供給装置の発射球発射後の次の発射球を発射位置に供給する状態を説明するための説明図である。
【図５】本第１実施例のパチンコ機における球供給装置の動作を説明するためのチャート図である。
【図６】本発明の第２実施例のパチンコ機における球供給装置の要部を示す要部正面図である。
【図７】本発明の第２実施例のパチンコ機における球供給装置を示す要部正面図である。
【図８】従来のパチンコ機における球供給装置の要部を示す要部正面図である。
【図９】従来のパチンコ機における球供給装置における球の状態を説明するための説明図である。
【符号の説明】
【００５８】
１  球供給通路（球送出手段）
２  球保持手段
３  球供給装置
Ｐ  発射球
Ｎ  次の発射球
４  待機手段
４０  ストッパ手段
４１  突起
６  発射状況検出手段
７  振動付与手段（球送出手段）
８  通電制御手段
【図１】
2007236418.tif 000003
【図２】
2007236418.tif 000004
【図３】
2007236418.tif 000005
【図４】
2007236418.tif 000006
【図５】
2007236418.tif 000007
【図６】
2007236418.tif 000008
【図７】
2007236418.tif 000009
【図８】
2007236418.tif 000010
【図９】
2007236418.tif 000011